(57)【要約】【課題】  用紙やパンフレットなどを収納することが出来る収納部を有し、テーブル面に載置したり、壁面に掛けることが出来る展示用ケースの提供。【解決手段】  ケースＡはテーブルなどの面上で起立するように背面側には脚１０を備えると共に、該脚１０はケース背面と同一面になるようにヒンジ１７を介して折畳まれ、また、ケースＡの正面側は背面側に対して低くなっている。【選択図】    図１
2015002786.tif 000002
【特許請求の範囲】
【請求項１】
用紙やパンフレットなどを収納することが出来る収納部を有す展示用ケースにおいて、該ケースはテーブルなどの面上で起立するように背面側には脚を備えると共に、該脚はケース背面と同一面になるようにヒンジ介して折畳まれ、また、ケースの正面側は背面側に対して低くなっていることを特徴とする展示用ケース。
【請求項２】
上記ケースの背面側には脚の上側に支持片を備え、該支持片はケース背面と同一面になるようにヒンジを介して折畳まれる請求項１記載の展示用ケース。
【請求項３】
上記ケースの背面側の上端部には壁掛け用の穴を貫通して設けた請求項１、又は請求項２記載の展示用ケース。
【請求項４】
上記ケースの背面側の上端部には表示パネルを取付けた請求項１、請求項２、又は請求項３記載の展示用ケース。
【請求項５】
上記ケースは背面側ケース部と正面側ケース部を組み合せた２ピース構造とした請求項１、請求項２、請求項３、又は請求項４記載の展示用ケース。
【発明の詳細な説明】
【技術分野】
【０００１】
本発明は銀行や郵便局の窓口、また駅の発券売場など、手続きや購入などの目的で各種の用紙を収納することが出来る展示用ケースに関するものである。
【背景技術】
【０００２】
銀行や郵便局の窓口、また駅の発券売場などでは、手続きをする為の各種用紙が用いられ、顧客はこれらの用紙に必要な事項を記入するように成っている。また駅の構内や各種イベント会場には宣伝用の各種パンフレットが置かれている。これらの用紙やパンフレットは色々あって、整然と収納する為のケースが用いられている。
【０００３】
例えば、ひな壇のように複数段を有した棚を構成し、各棚に各種用紙やパンフレットを収納することが出来る収納部を設けたものが一般的である。
特開２００２−８５２１６号に係る「商品陳列装置」は、構造が簡単で安価に提供できるとともに、運搬や設置にも便利で、汎用性および機能性に富み、かつパンフレットやカタログ等の収納上の利便性も確保できるようにした商品陳列装置である。
【０００４】
後下方に傾斜する底板と、後傾する背板と、背板の左右両側縁から後方に延出する支持片とを有する受け部材を複数組合わせて、商品を後傾状態で載置する雛壇状の商品受け棚を形成し、受け棚を、左右１対の側板の対向面間に支持片を介してそれぞれ固着し、かつ最下段の受け部材の下方に、前面が開口するとともに、左右両側が側板によって塞がれた物品収納部を形成している。
【０００５】
特開平７−１１６０４４号に係る「パンフレットボックス」は、銀行の窓口など、手続き、購入などの目的で人が整列して待機している場所に用いるに適するパンフレットボックスである。
幅の狭い基台部の前端及び後端にはロープのフックが係止可能なジャンクションが設けられ、かつ基台部の上部には仕切り片により区切られた複数のパンフレット収納室を具備するパンフレット収納部が設けられている。
【０００６】
実用新案登録第３１１０１５１号に係る「各種パンフレット展示用ラック」は、軽量で誰もが簡単に持ち運びが出来て、しかも、折り畳み・分割式で収納場所をとらない安価な各種パンフレット展示用折り畳み収納式ラックである。
前面中央部に所定の間隔を空けた複数の段違いのパンフレット収納用棚枠と上下ほぼ中程部にヒンジ部を設けた枠状のフレームと、ヒンジ部を支点にして前後方向に開閉可能なスタンドと、フレームとスタンド間を所定の角度で係止可能な収納式係止部材と、フレーム上端前面部に係止し、使用目的・用途に応じて取替え可能な表示板を設けている。
【０００７】
これらの他にも各種サイズの用紙やパンフレットを収納して展示する為のケースは色々知られている。しかし、ケースは用紙やパンフレットを収納することが出来る複数の収納部を有す棚として構成され、その為に設置する場所は限定され、また用途も限定される。
【特許文献１】特開２００２−８５２１６号に係る「商品陳列装置」
【特許文献２】特開平７−１１６０４４号に係る「パンフレットボックス」
【特許文献３】実用新案登録第３１１０１５１号に係る「各種パンフレット展示用ラック」
【発明の開示】
【発明が解決しようとする課題】
【０００８】
このように、従来の展示ケースには上記のごとき問題がある。本発明が解決しようとする課題はこの問題点であり、用紙やパンフレットなどを収納することが出来る展示用ケースであり、個々のケースとして使うことが出来、また複数個を組み合せることで一種の棚のように構成することが可能な展示用ケースを提供する。
【課題を解決するための手段】
【０００９】
本発明に係る展示用ケースは上部を開口した薄型ケースであり、正面側は背面側に対して低く成っている。そして、背面側下端部には後方へ延びる脚を有し、ただし脚はヒンジを介して折り畳まれて背面と同一面と成る。また、背面の両側には概略Ｌ形ツメを設け、表面両側には概略Ｌ形ツメが係合する係合溝を有している。ここで、上記薄型ケースは背面側と表面側を組み合せた２ピース構造とする場合もある。
【００１０】
ところで、展示用ケースはそれ単体で机やテーブルに置いて使用することが出来、又は背面側に別の展示用ケースを組み合せた構造とすることも出来、一種の棚として構成出来る。この場合には背面側に組み合わされるケースは正面側より高くなるようにＬ形ツメ及び係合溝を形成している。また、複数のケースを隣り合って連結したり、背面同士が対抗するように連結する場合もある。
一方、ケース上端部には壁掛け用の穴が設けられ、壁に掛けた場合に壁面に対して傾斜するように背面には支持片を折畳み可能に備えている。
【発明の効果】
【００１１】
本発明の展示用ケースはそれ単体で使うことが出来、例えば机やテーブルの上に配置して用紙を入れることが出来る。この場合、ケース背面側に設けた脚を起立することで後方へ僅かに傾斜したケースは脚にて支えられ、転倒することはない。また、該ケースはその背面両側に設けたＬ形ツメに別のケースを引っ掛けことが出来、複数のケースを階段状に積み重ねて一種の棚が構成される。
【００１２】
背面側のケースは正面側のケースに対して高くなり、各ケースには別々の書類を入れて仕分けする場合に便利であり、正面側上端は背面側上端より低く成った開口としていることで書面の出し入れが便利である。また、本発明の展示用ケースは壁面や間仕切りのパネル面に固定した金具に掛けることが出来、この場合、該壁面やパネル面と平行と成して吊り下げる場合のみならず、背面側に備えている支持片を起立させることで該壁面やパネル面に対して書類や用紙を入れ易く取出し易いように傾斜して吊り下げることが可能となる。
【図面の簡単な説明】
【００１３】
【図１】本発明に係る展示用ケースを示す実施例で、（ａ）は正面側斜視図、（ｂ）は横断面図。
【図２】展示用ケースを背面側ケース部と正面側ケース部とに分離した場合の正面側からの斜視図。
【図３】展示用ケースを背面側ケース部と正面側ケース部とに分離した場合の背面側からの斜視図。
【図４】背面側ケース部の下端部を示す斜視図で、（ａ）は脚を倒している場合、（ｂ）は脚が起立している場合。
【図５】脚が起立して係止片に係止することで倒れないようにした場合。
【図６】脚に支えられてケースが起立している場合。
【図７】起立しているケースに書類を収納した場合。
【図８】２つのケースを連結具にて連結する場合。
【図９】連結具の具体例。
【図１０】連結具をケース背面のＬ形ツメに係止して２つのケースを連結した場合。
【図１１】脚を起立した２つのケースが背面側を対向して連結する場合の斜視図。
【図１２】脚を起立した２つのケースが背面側を対向して連結した場合の側面図。
【図１３】４つのケースを階段状に連結して基台に載せた場合の側面図。
【図１４】４つのケースを階段状に連結して基台に載せた場合の背面側からの斜視図。
【図１５】Ｌ形ツメが係合溝に係合することで２つのケースが連結する場合。
【図１６】基台の具体例で、（ａ）は背面側からの斜視図、（ｂ）は正面側からの斜視図。
【図１７】間仕切りパネルの上端部にケースを取付けた場合の側面図。
【図１８】間仕切りパネルの上端部にケースをネジ止めにて取付けた場合の斜視図。
【図１９】間仕切りパネルの上端部に取付けたケースに書類を入れた場合。
【図２０】ケースの上端に表示パネルを取付けた場合の斜視図。
【図２１】ケースの上端に表示パネルを取付けた断面図。
【発明を実施するための形態】
【００１４】
図１は本発明に係る展示用ケースを示す実施例であり、（ａ）は正面側斜視図、（ｂ）は該展示用ケースの横断面図を表している。同図に示す展示用ケースＡ（以下、ケースＡとする）は背面側ケース部１と正面側ケース部２を組み合せて構成され、正面側ケース部２は背面側ケース部１より低く、その為に上部には大きな開口３を有している。この開口３から各種用紙や書類を入れることが出来、正面側ケース部２が低く成っていることで書類の出し入れがし易く成っている。
【００１５】
図２は背面側ケース部１と正面側ケース部２が分離した状態、すなわち、正面側ケース部２を背面側ケース部１に組み付ける前の状態を示している。背面側ケース部１は両側片３，３及び底片４を有し、両側片３，３には細い溝５を形成している。一方、正面側ケース部２は両側片６，６及び底片７を有し、側片６，６は係合片８，８を延ばしている。さらに、この係合片８，８の一部には係合ツメ９・・・を突出して設けている。
【００１６】
そこで、正面側ケース部２の側片６，６に設けている係合片８，８を背面側ケース部１の側片３，３に設けている溝５に嵌合し、係合ツメ９，９・・・をツメ溝１３，１３・・・の底に係止することで組み合わせてケースＡとして構成される。勿論、本発明のケースＡは背面側ケース部１と正面側ケース部２の２ピース構造とすることなく、一体成形することも可能である。
【００１７】
本発明のケースＡは図３に背面側ケース部１と正面側ケース部２が分離した状態の背面方向からの斜視図を示しているが、背面側ケース部１の下端部には２つの脚１０，１０を対を成して設けている。また、脚１０，１０の上側には支持片１１，１１を設けており、これら脚１０及び支持片１１は背面に対して垂直に起立することが出来る。すなわち、脚１０及び支持片１１はヒンジ１７，１７・・・を介して背面１２に取付けられ、同図は倒れて背面１２と同一面と成っている状態である。
【００１８】
また、同図の１３，１３・・・は係合ツメ９，９・・・が係止するツメ溝である。そして、背面側ケース部１の両側にはＬ形ツメ１４，１４・・・が突出しており、上端部には壁掛け用の穴１５，１５が対を成して設けられている。一方、正面側ケース部２の両側には細長い係合溝１６，１６・・・を設けている。
【００１９】
図４（ａ）は脚１０，１０、及び支持片１１，１１が倒れている状態を、図４（ｂ）は脚１０，１０が起立している場合を示している。脚１０，１０は背面１２に対して垂直に起立すると同時に係止片１８に係止するならば独りでに倒れないようになる。図５は脚１０がヒンジ１７を介して回転して起立した場合に、該ヒンジ１７に設けた係止片１８に脚１０の基部端が係止した場合の断面を示している。支持片１１のヒンジ１７にも係止片１８を設け、起立した支持片１１が独りでに倒れないように成っている。
【００２０】
図６は脚１０を支えとしてケースＡが後方に僅かに傾斜して起立している場合を示している。該ケースＡを載置する場所は自由であるが、机やテーブル面に置いて使うことが出来、例えば仕事中に作成し書類や用紙を該ケースＡに収容するならば、机面に書類を直接置くことで乱雑になることを防止出来る。図７はケースＡにＡ４サイズの書類１９を入れた場合を示している。
【００２１】
図８はテーブル面に置かれた２つのケースＡ，Ａを連結して載置する場合を示している。個々のケースＡ，Ａは脚１０，１０・・・を後方へ張り出すことで転倒することなく起立し、ここで、背面に突出している概略Ｌ形ツメ１４，１４・・・を利用し、このＬ形ツメ１４，１４・・・に連結具２０を係止する。連結具２０は図９に示しているように、長方形の板状体で、４か所に細長い係合溝２１，２１・・・が形成されている。上記Ｌ形ツメ１４，１４・・・が係合溝２１，２１・・・に係合することで両ケースＡ，Ａは連結具２０を介して連結される。図１０は両ケースＡ，Ａが連結具２０を介して互いに連結した場合である。
【００２２】
図１１に示すように、２つのケースＡ，Ａが背面同士を対向して起立した状態で連結する場合もあり、この場合には張り出した両脚１０，１０を連結ボタン２２にて連結する。脚１０，１０には円形の穴２３，２３が貫通し、この穴２３，２３に連結ボタン２２を嵌めることで両脚１０，１０が連結され、両ケースＡ，Ａは図１２に示すように逆Ｖ形を成して連結される。このように、両ケースＡ，Ａを繋ぐことで、単体で置く場合に比較してより安定してテーブル上に載置出来る。
【００２３】
図１３は４枚のケースＡ１、Ａ２、Ａ３、Ａ４を段状に連結して基台２４の上に載置した場合を示している。この場合には、脚１０，１０・・・は張り出すことなく折畳まれ、基台２４に設けた各段面にそれぞれのケースＡ１、Ａ２、Ａ３、Ａ４が載置されて斜め後方に傾斜して起立している。図１４は背面側からの斜視図を表しているように、脚１０，１０・・・は倒れた状態で基台２４に載置されている。
【００２４】
ところで、各ケースＡ１、Ａ２、Ａ３、Ａ４は背面に突出しているＬ形ツメ１４，１４・・・を介して互いに連結した状態にあり、図１５はＬ形ツメ１４が係合溝１６に係合して連結している状態を表している。Ｌ形ツメ１４，１４・・・は図３に示すように背面側ケース部１の背面両側に突出し、係合溝１６，１６・・・は図２に示すように正面側ケース部２の正面両側に形成している。背面側に突出した６個のＬ形ツメ１４，１４・・・は正面側に設けている係合溝１６，１６・・・に係合することで各ケースＡ１、Ａ２、Ａ３、Ａ４は後方側ケースが高くなるように段状を成して連結される。
【００２５】
図１６は基台２４を単独で表している具体例であり、（ａ）は背面側斜視図、（ｂ）は正面側斜視図を示している。該基台２４は両側板２５，２５が背板２６と底板２７にて連結され、両側板２５，２５には段面２８ａ，２８ｂ，２８ｃが形成されている。これら各段面２８ａ，２８ｂ，２８ｃにケースＡ２、Ａ３、Ａ４が載置され、各ケースＡ１、Ａ２、Ａ３、Ａ４が後方に傾斜するように各段面２８ａ，２８ｂ，２８ｃは水平でなく僅かに傾斜している。また、正面側に位置するケースＡ１は基台２４が載置されるテーブル面に載る。
【００２６】
一方、本発明のケースＡはテーブル面に載置する場合のみならず、部屋の壁面又は間仕切り装置のパネル面に引っ掛けて取付けることもある。
図１７は間仕切りパネル２９のパネル面３０の上端部に取付けた場合の側面図を表している。この場合、ケースＡはパネル面３０と平行ではなく、傾斜した状態で取付けられ、その為にケースＡの背面には支持片１１を起立している。すなわち、支持片１１が起立することで上端に設けた壁掛け用の穴１５をパネル面に固定した金具に引っ掛けることで同図のように傾斜する。
【００２７】
図１８は壁掛け用の穴１５，１５を利用してネジ止めすることでパネル面３０に固定した場合を示している。ネジ止めするならばケースＡはパネル面３０から外れることなく安定して取付け出来る。
図１９はパネル面３０に取付けたケースＡにＡ４の書類１９を縦長状態で収容している場合を表している。ここで、上記書類１９とはＡ４サイズの大きさの書面などであり、仕事上作成した書類は勿論のこと、郵便局、銀行、駅などで使用される様式に基づいたが含まれ、壁面やパネル面３０に取付けて各種書類１９をケースＡに収納しておくことで、顧客はこれらのケースＡから必要な書類を取出して使うことが出来る。
【００２８】
図２０は表示パネル３１をケース上端に取付けた場合を示している。該表示パネル３１は透明なパネルを２つ折りした挟持部３２と下方へ延びる取付け部３３を有している。そこで、該挟持部３２には必要な事項が記載されている表紙が挟まれ、取付け部３３はケースＡの上端に取付けられる。図２１は表示パネル３１をケースＡの上端に取付けた場合の縦断面を示している。ケースＡの上端には挿入溝が設けられ、この挿入溝に取付け部３３を挿入することで、押えツメ３４によって押圧されることで外れないように止着される。押えツメ３４，３４は図１に示すように背面側ケース部１の上端に対を成して設けている。
【符号の説明】
【００２９】
Ａ   ケース
１   背面側ケース部
２   正面側ケース部
３   側片
４   底片
５   溝
６   側片
７   底片
８   係合片
９   係合ツメ
10   脚
11   支持片
12   背面
13   ツメ溝
14   Ｌ形ツメ
15   壁掛け用の穴
16   係合溝
17   ヒンジ
18   係止片
19   書類
20   連結具
21   係合溝
22   連結ボタン
23   穴
24   基台
25   側板
26   背板
27   底板
28   段面
29   間仕切りパネル
30   パネル面
31   表示パネル
32   挟持部
33   取付け部
34   押えツメ
【図１】
2015002786.tif 000003
【図２】
2015002786.tif 000004
【図３】
2015002786.tif 000005
【図４】
2015002786.tif 000006
【図５】
2015002786.tif 000007
【図６】
2015002786.tif 000008
【図７】
2015002786.tif 000009
【図８】
2015002786.tif 000010
【図９】
2015002786.tif 000011
【図１０】
2015002786.tif 000012
【図１１】
2015002786.tif 000013
【図１２】
2015002786.tif 000014
【図１３】
2015002786.tif 000015
【図１４】
2015002786.tif 000016
【図１５】
2015002786.tif 000017
【図１６】
2015002786.tif 000018
【図１７】
2015002786.tif 000019
【図１８】
2015002786.tif 000020
【図１９】
2015002786.tif 000021
【図２０】
2015002786.tif 000022
【図２１】
2015002786.tif 000023